(57)【要約】  【課題】  使用者の要求をより満足するための芳香装置を提供する。  【解決手段】  香気を放散する芳香装置であって、芳香源から香気を調製する芳香部と、前記芳香部を駆動する駆動部と、を含み、前記芳香部は、前記芳香源に損傷を与えて芳香を放出させる損傷付与部を含み、前記損傷付与部は、同一の前記芳香源に対して時間をあけて繰り返し損傷を与える作動を行う芳香装置。【選択図】  図１
2018153372.tif 000002
【特許請求の範囲】
【請求項１】
香気を放散する芳香装置であって、
芳香源から香気を調製する芳香部と、
前記芳香部を駆動する駆動部と、を含み、
前記芳香部は、前記芳香源に損傷を与えて芳香を放出させる損傷付与部を含み、
前記損傷付与部は、同一の前記芳香源に対して時間をあけて繰り返し損傷を与える作動を行う
ことを特徴とする芳香装置。
【請求項２】
請求項１に記載の芳香装置であって、
前記芳香源は、植物であり、
前記損傷付与部は、前記芳香源の枝、葉又は花を揺らがせて損傷を与えることによって芳香を放出させる
ことを特徴とする芳香装置。
【請求項３】
請求項１に記載の芳香装置であって、
前記芳香源は、植物であり、
前記損傷付与部は、前記芳香源を叩いて損傷を与えることによって芳香を放出させる
ことを特徴とする芳香装置。
【請求項４】
請求項１に記載の芳香装置であって、
前記芳香源は、植物であり、
前記芳香部は、前記芳香源を保持する保持部を含み、
前記損傷付与部は、前記保持部に保持された前記芳香源を前記保持部に押し当てて損傷を与えることによって芳香を放出させる
ことを特徴とする芳香装置。
【請求項５】
請求項１に記載の芳香装置であって、
前記芳香源は、種子であり、
前記損傷付与部は、前記芳香源を潰して損傷を与えることによって芳香を放出させる
ことを特徴とする芳香装置。
【請求項６】
請求項１に記載の芳香装置であって、
前記芳香源は、調理品であり、
前記損傷付与部は、前記芳香源を押して損傷を与えることによって芳香を放出させる
ことを特徴とする芳香装置。
【請求項７】
請求項６に記載の芳香装置であって、
前記芳香部は、前記芳香源を加熱するための電熱部を含む
ことを特徴とする芳香装置。
【請求項８】
請求項６に記載の芳香装置であって、
前記芳香部は、前記芳香源を蒸すための蒸気部を含む
ことを特徴とする芳香装置。
【請求項９】
請求項１に記載の芳香装置であって、
前記芳香源は、菓子であり、
前記損傷付与部は、前記芳香源同士を衝突させて損傷を与えることによって芳香を放出させる
ことを特徴とする芳香装置。
【請求項１０】
請求項９に記載の芳香装置であって、
前記芳香部は、前記芳香源を加熱するための電熱部を含む
ことを特徴とする芳香装置。
【請求項１１】
請求項１に記載の芳香装置であって、
前記芳香源は、液体であり、
前記損傷付与部は、前記液体に空気を絡ませることにより芳香を放出させる
ことを特徴とする芳香装置。
【請求項１２】
請求項１〜１１のいずれか一項に記載の芳香装置であって、
空気の流れを促進する送風部を含む
ことを特徴とする芳香装置。
【請求項１３】
請求項１〜１２のいずれか一項に記載の芳香装置であって、
空気を暖めるヒータを含む
ことを特徴とする芳香装置。
【請求項１４】
請求項１〜１３のいずれか一項に記載の芳香装置であって、
霧を散布する霧散布部を含む
ことを特徴とする芳香装置。
【請求項１５】
請求項１〜１４のいずれか一項に記載の芳香装置であって、
前記芳香部が外部から視認可能である
ことを特徴とする芳香装置。
【請求項１６】
請求項１〜１５のいずれか一項に記載の芳香装置であって、
前記芳香部が芳香を放出する際の音を外部へ放出する
ことを特徴とする芳香装置。
【請求項１７】
請求項１〜１６のいずれか一項に記載の芳香装置であって、
前記芳香部の作動を制御する作動制御部を含む
ことを特徴とする芳香装置。
【請求項１８】
請求項１７に記載の芳香装置であって、
人感センサ、温度センサ、湿度センサ、匂いセンサのうちの少なくとも一つを含むセンサ部と、
前記センサ部の検出結果に応じて前記作動制御部に所定の指示を行う処理部と、を含む
ことを特徴とする芳香装置。
【発明の詳細な説明】
【技術分野】
【０００１】
本発明は、芳香装置に関する。
【背景技術】
【０００２】
従来、香気を放散する芳香装置として、例えば、器体と該器体に収容された香りビーズとで構成され、上記香りビーズは、シリカゲル、パルプ材、ゲル材等に芳香成分を担持した固体の芳香剤からなる芳香器が開示されている（特許文献１を参照）。
【先行技術文献】
【特許文献】
【０００３】
【特許文献１】特開平８−１９１８８３号公報
【発明の概要】
【発明が解決しようとする課題】
【０００４】
一方、使用者の芳香に対する需要は多種多様であり、いまだ要求を満足できる芳香装置はない。
【０００５】
本発明は、上記課題を解決するためのもので、使用者の要求をより満足するための芳香装置を提供することを目的とする。
【課題を解決するための手段】
【０００６】
そこで、上記課題を解決するために、本発明に係る芳香装置は、香気を放散する芳香装置であって、芳香源から香気を調製する芳香部と、前記芳香部を駆動する駆動部と、を含み、前記芳香部は、前記芳香源に損傷を与えて芳香を放出させる損傷付与部を含み、前記損傷付与部は、同一の前記芳香源に対して時間をあけて繰り返し損傷を与える作動を行う。
【０００７】
また、前記芳香源は、植物であり、前記損傷付与部は、前記芳香源の枝、葉又は花を揺らがせて損傷を与えることによって芳香を放出させてもよい。
【０００８】
また、前記芳香源は、植物であり、前記損傷付与部は、前記芳香源を叩いて損傷を与えることによって芳香を放出させてもよい。
【０００９】
また、前記芳香源は、植物であり、前記芳香部は、前記芳香源を保持する保持部を含み、前記損傷付与部は、前記保持部に保持された前記芳香源を前記保持部に押し当てて損傷を与えることによって芳香を放出させてもよい。
【００１０】
また、前記芳香源は、種子であり、前記損傷付与部は、前記芳香源を潰して損傷を与えることによって芳香を放出させてもよい。
【００１１】
また、前記芳香源は、調理品であり、前記損傷付与部は、前記芳香源を押して損傷を与えることによって芳香を放出させてもよい。
【００１２】
また、前記芳香部は、前記芳香源を加熱するための電熱部を含んでもよい。
【００１３】
また、前記芳香部は、前記芳香源を蒸すための蒸気部を含んでもよい。
【００１４】
また、前記芳香源は、菓子であり、前記損傷付与部は、前記芳香源同士を衝突させて損傷を与えることによって芳香を放出させてもよい。
【００１５】
また、前記芳香部は、前記芳香源を加熱するための電熱部を含んでもよい。
【００１６】
また、前記芳香源は、液体であり、前記損傷付与部は、前記液体に空気を絡ませることにより芳香を放出させてもよい。
【００１７】
また、空気の流れを促進する送風部を含んでもよい。
【００１８】
また、空気を暖めるヒータを含んでもよい。
【００１９】
また、霧を散布する霧散布部を含んでもよい。
【００２０】
また、前記芳香部が外部から視認可能であってもよい。
【００２１】
また、前記芳香部が芳香を放出する際の音を外部へ放出してもよい。
【００２２】
また、前記芳香部の作動を制御する作動制御部を含んでもよい。
【００２３】
また、人感センサ、温度センサ、湿度センサ、匂いセンサのうちの少なくとも一つを含むセンサ部と、前記センサ部の検出結果に応じて前記作動制御部に所定の指示を行う処理部と、を含んでもよい。
【発明の効果】
【００２４】
本発明によれば、使用者の要求をより満足するための芳香装置を提供することができる。
【図面の簡単な説明】
【００２５】
【図１】実施形態１に係る芳香装置の構成を示す図面である。
【図２】実施形態１の変形例１に係る芳香装置の構成を示す図面である。
【図３】実施形態１の変形例２に係る芳香装置の構成を示す図面である。
【図４】実施形態１の変形例３に係る芳香装置の構成を示す図面である。
【図５】実施形態１の変形例４に係る芳香装置の構成を示す図面である。
【図６】実施形態２に係る芳香装置の構成を示す図面である。
【図７】実施形態２に係る芳香装置の制御構成を示す図面である。
【図８】実施形態３に係る芳香装置の構成を示す図面である。
【図９】実施形態３に係る芳香装置の制御構成を示す図面である。
【図１０】実施形態３の変形例１に係る芳香装置の制御構成を示す図面である。
【図１１】実施形態４に係る芳香装置の構成を示す図面である。
【図１２】実施形態４の変形例１に係る芳香装置の構成を示す図面である。
【図１３】実施形態４の変形例２に係る芳香装置の構成を示す図面である。
【発明を実施するための形態】
【００２６】
以下、図面を参照して本発明に係る実施形態の例を説明する。各実施形態（変形例を含む）の説明では、同様な部分については同様な符号を付してその説明を省略する。
【００２７】
＜実施形態１＞
図１は実施形態１に係る芳香装置１００の構成を示す図面である。芳香装置１００は、第１筐体１０１と、第１筐体１０１と着脱可能に係合する第２筐体１０２とを含む。
【００２８】
また、芳香装置１００は、電源部１と、主モータ２と、ヒータ３と、送風ファン４と、霧散布部５と、芳香部６と、を含み、これらは、第１筐体１０１及び第２筐体１０２に配置（収容）される。
【００２９】
一例として、第１筐体１０１には、電源部１及び主モータ２が収容される。第１筐体１０１は、一方の面（ここでは上面）が第２筐体１０２との仕切板をなし、後述の送風ファン回転軸２２及び損傷付与回転軸２３を挿通するための貫通穴が設けられる。第２筐体１０２は、例えば、一方（一面）が開放された蓋体で、ヒータ３及び送風ファン４、霧散布部５、芳香部６を覆うようにして収容する。第２筐体１０２には、貫通穴である空気流入口１０３及び香気放散口１０４が設けられる。
【００３０】
電源部１は、外部電源や電池等を含んで構成される。主モータ２、ヒータ３、霧散布部５は電源部１に電気的に接続され、電源部１から電力が供給される。
【００３１】
主モータ２は、送風ファン４及び芳香部６を駆動するためのものである。具体的には、主モータ２の出力軸２１に送風ファン回転軸２２及び損傷付与回転軸２３が連動され、送風ファン４及び芳香部６が駆動される。例えば、図示のように、これらの軸にそれぞれ歯車が結合され、歯車同士が噛み合いながら回転することによって、送風ファン回転軸２２及び損傷付与回転軸２３が回転し、送風ファン４及び芳香部６が駆動される。
【００３２】
ヒータ３は、空気流入口１０３の近傍に配置され、空気流入口１０３から流入した空気を暖める。ヒータ３は、付帯の電源回路を備えてもよい。
【００３３】
送風ファン４は、ヒータ３の近傍に配置され、暖められた空気を芳香部６に送り込むとともに、空気流入口１０３からの空気の流入を促進する（空気を吸い込む）。
【００３４】
霧散布部５は、散布ノズル５１と、散布ポンプ５２と、散布用液容器５３とを含む。霧散布部５は、例えば送風ファン４の反対側に配置される。散布用液容器５３内の液体（例えば、水）は、散布ポンプ５２によって吸い上げられ、散布ノズル５１から芳香部６内に向けて散布される。
【００３５】
芳香部６は、損傷付与部（「刺激付与部」ともいう）６１と、保持部６２と、芳香ケース６３とを含む。損傷付与部６１は、ここでは棒状に形成され、根元に挿着穴が設けられて損傷付与回転軸２３に挿着される。損傷付与部６１は、損傷付与回転軸２３と一体に形成されてもよい。
【００３６】
一例として、保持部６２は、損傷付与部６１から延出した複数の枝状の部分で、芳香源は図示のようにこの複数の枝状部分で構成される保持部６２にセットされ、保持される。保持部は、芳香源を保持するものであればよく、例えば、スリットや貫通穴を設けた板状体に形成され、芳香源をスリットに挟み込んだり、貫通穴に刺したりして保持するようにしてもよい。
【００３７】
芳香ケース６３は、上部が開口したケースで、損傷付与部６１及び保持部６２は芳香ケース６３に収容される。芳香ケース６３の周壁には貫通穴である取込口６３１が複数設けられる。芳香ケース６３の底面には損傷付与回転軸２３を挿通させるための貫通穴が設けられる。
【００３８】
芳香部６は、例えば、第２筐体１０２の略中央部に配置され、送風ファン４側の取込口６３１から空気が取り込まれ、霧散布部５側の取込口６３１から霧が取り込まれる。図示のように、散布ノズル５１が一の取込口６３１から挿通され、芳香部６内に霧が直接散布されてもよい。
【００３９】
ここで、香気放散までの流れを説明すると、例えば芳香源（例えば、ローズマリ等）を芳香部６の保持部６２にセットして保持させ、電源部１をオンにすると、電源部１によって、主モータ２に電力が供給され、送風ファン回転軸２２及び損傷付与回転軸２３が回転する。これによって、送風ファン４が回転し、空気流入口１０３から空気が吸い込まれる。吸い込まれた空気は、ヒータ３によって暖められ、送風ファン４によって上方に送り込まれる。また、霧散布部５にも電力が供給され、霧が散布される。
【００４０】
芳香部６内の芳香源は、損傷付与回転軸２３による損傷付与部６１の回転及び加速された空気の流入によって、激しく揺らいで擦られて芳香源の組織が損傷を受けて（細胞が破壊されて）、芳香を放出する。放出された芳香は、空気及び霧と混合されて香気に調製され、流入した空気に押し上げられて、第２筐体１０２の香気放散口１０４から放散される。
【００４１】
言い換えれば、芳香部６は、芳香製造部であり、芳香源から芳香を放出させ、これを空気と霧と混合して、天然香気を製造するものである。
【００４２】
芳香装置１００は、以上のように構成することによって、芳香源から気軽に香気を楽しむことができる。芳香装置１００は、特に、ローズマリ、バジルやタイム等、茎についている葉や花の香りを楽しむ芳香源に好適である。
【００４３】
なお、芳香源は、必ずしも生の素材でなくてもよく、乾燥した素材や加工して練り込んだ素材等であってもよい。
【００４４】
なお、霧の散布は、芳香源の乾燥を防ぎ、劣化を防止する効果もある。また、電源部は、蓄電池等を含んで充電方式としてもよい。また、後述のように、ヒータや送風ファン、霧散布部、芳香部等の作動部は、所定時間間隔で作動してもよく、例えば、霧散布部が定期的に短い時間で作動して霧の散布を行ってもよい。また、各作動部は、連動して作動してもよい。
【００４５】
また、常時香気を放散させると、慣れてしまい、香りを感じなくなるので、損傷付与部を所定時間作動後所定時間停止させ、再び所定時間作動させる等、間欠的に作動させてもよい。このように、強弱をもたらせることで、風の方向で香りが変わるように自然界の香りに近付けることができる。
【００４６】
また、芳香装置の作動時間の経過とともに、芳香源から放出される芳香も少なくなるので、作動時間を徐々に増やし、停止時間を徐々に減らすようにしてもよい。
【００４７】
また、芳香ケースの内壁には板状体等の突起物を設けたり、取り付けたりすることによって、芳香源を揺るがしたり叩いたりする構成としてもよい。
【００４８】
また、芳香部６を複数設け、それぞれ異なる芳香源（例えば、ローズマリーとタイム）を格納できるようにしてもよい。人間は同じ香りを継続して嗅ぐと慣れてしまうので、たまに異なる香りを放出させることで、慣れをリセットさせることができる。例えば、所定回数（例えば２０回）は、第１の芳香部（ローズマリー）を時間をおいて繰り返し作動させた後、第２の芳香部（タイム）を所定回数（第１の芳香部の作動回数より少ない回数、例えば２回）を時間をおいて繰り返し作動させる。その後、再び、第１の芳香部の作動に戻るようにする。
【００４９】
複数の芳香部６を備える場合は、芳香部によって、芳香を放出させる作動時間を異ならせてもよい。例えば、第１の芳香部（ローズマリー）の作動時間を３分とし、第２の芳香部（タイム）の作動時間を２分とする。
【００５０】
＜実施形態１の変形例１＞
図２は、実施形態１の変形例１に係る芳香装置１００ａの構成を示す図である。芳香装置１００ａは、第２筐体１０２ａ及び芳香部６ａが実施形態１と異なる。また、ヒータ及び霧散布部を含まない点、実施形態１と異なる。
【００５１】
第２筐体１０２ａは、第２筐体本体１０５ａと、これに着脱可能に係合する第２筐体蓋体１０６ａとを含む。空気流入口１０３及び香気放散口１０４は、第２筐体蓋体１０６ａに設けられる。第２筐体本体１０５ａの一方の面（第１筐体１０１側の面）には、送風ファン回転軸２２及び損傷付与回転軸２３を挿通するための貫通穴が設けられる。
【００５２】
芳香部６ａは、損傷付与部６１ａと、保持部６２ａとを含む。損傷付与部６１ａ及び保持部６２ａは、第２筐体本体１０５ａに収容される。損傷付与部６１ａは、一例として、略円錐形状に形成され、先端が保持部６２ａ側に配置される。損傷付与部６１ａは、根元に挿着穴が設けられ、損傷付与回転軸２３に挿着される。損傷付与部６１ａは、芳香源（例えば、柑橘類）を効果的に搾るための凸部が設けられ、例えば、図示のように、棒状本体から羽根状に凸出した凸部が設けられる。なお、ここでは、損傷付与部６１ａは、芳香源の果汁を搾り出すものであればよく、その形状等は特に限定するものではない。損傷付与部６１ａは、損傷付与回転軸２３と一体に形成されてもよい。
【００５３】
保持部６２ａは、保持本体６２１ａと、これを第２筐体本体１０５ａに固定する保持固定部６２２ａとを含む。保持本体６２１ａは例えば図示のように略半球面状に形成される。保持固定部６２２ａは、スプリングを含んで構成され、保持本体６２１ａは損傷付与部６１ａに向かって進退可能である。そのため、様々な大きさの芳香源に対応できるとともに、損傷付与部６１ａが芳香源に回転しながら押し込んでもそれを受け止めることができる。
【００５４】
芳香部６ａは、第２筐体本体１０５ａの下部に配置され、送風ファン４は例えば上方の空気流入口１０３の近傍に配置される。芳香部６ａは、さらに受け皿を含んで搾り出された果汁を収容するようにしてもよい。
【００５５】
また、図示しないが、損傷付与部６１ａの近傍に撹拌部を設けて、第２筐体本体１０５ａに貯留している果汁を撹拌するようにして、芳香の放出を増進させてもよい。
【００５６】
ここで、香気放散までの流れを説明すると、芳香源（例えば、柑橘類等の果実）を芳香部６ａの保持本体６２１ａにセットして保持させ、電源部１をオンにすると、電源部１によって、主モータ２に電力が供給され、送風ファン回転軸２２及び損傷付与回転軸２３が回転する。これによって、損傷付与部６１ａが回転しながら柑橘類に押し込んで果汁を搾り出す（芳香を放出させる）。搾り出された果汁は、第２筐体本体１０５ａの下部に収容される。
【００５７】
一方、送風ファン４も回転し、空気流入口１０３から空気が吸い込まれる。吸い込まれた空気と芳香（搾り出す過程で放出される芳香、収容された果汁から放出される芳香）は、送風ファン４によって混合されて調製され、香気放散口１０４から放散される。
【００５８】
＜実施形態１の変形例２＞
図３は、実施形態１の変形例２に係る芳香装置１００ｂの構成を示す図である。芳香装置１００ｂは、第２筐体１０２ｂ及び芳香部６ｂが実施形態１と異なる。また、ヒータ及び霧散布部を含まない点、実施形態１と異なる。また、送風ファン回転軸２２ｂ及び損傷付与回転軸２３ｂが同軸に回転する点、実施形態１と異なる。
【００５９】
第２筐体１０２ｂは、第２筐体本体１０５ｂと、第２筐体蓋体１０６ｂとを含む。第２筐体本体１０５ｂと第２筐体蓋体１０６ｂとは、一例として、芳香部６ｂを挟んで分離して配置され、例えば、図示のように、第２筐体本体１０５ｂが芳香部６ｂの下方に配置され、第２筐体蓋体１０６ｂが芳香部６ｂの上方においてその開口を覆うように配置される。空気流入口１０３は、第２筐体本体１０５ｂの周壁に設けられ、香気放散口１０４は、第２筐体蓋体１０６ｂに設けられる。
【００６０】
第１筐体１０１は、一方の面（ここでは上面）が第２筐体本体１０５ｂとの仕切板をなし、送風ファン回転軸２２ｂ及び損傷付与回転軸２３ｂを挿通するための貫通穴が設けられる。ここでは、送風ファン回転軸２２ｂ及び損傷付与回転軸２３ｂは、図示のように、同軸に回転するように構成される。また、損傷付与回転軸２３ｂは、外周面にねじ山が設けられ、ねじ軸状に形成される。
【００６１】
芳香部６ｂは、損傷付与部６１ｂと、保持部６２ｂと、芳香ケース６３ｂとを含む。損傷付与部６１ｂは、損傷付与本体６１１ｂと、損傷付与基部６１２ｂとを含む。損傷付与本体６１１ｂは、例えば、図示のように、外周面に螺旋状に凸部を有する略楕円体状に形成され、損傷付与回転軸２３ｂの先端に固定される。なお、損傷付与本体６１１ｂは、芳香ケース６３ｂの内壁側に芳香源を押すようにして当接するものであればよく、球体状、円柱体状等であってもよい。
【００６２】
また、損傷付与本体６１１ｂは、損傷付与回転軸２３ｂにバネ性や柔軟性のある材料で棒状突起として設けられてもよい。例えば、バネ性のある金属細線、又はゴム製やプラスチック樹脂製の突起部材を損傷付与回転軸に一体に形成してもよい。突起部材は回転により、芳香源等に掛かり動きを一時的に止められ、解放され動く時に芳香源を叩く動作が行われることになり、芳香源に損傷を与える（芳香源に刺激を与える）こととなる。特にハーブ系の芳香源には有効である。
【００６３】
損傷付与基部６１２ｂは、芳香ケース６３ｂの底面に固定され、ねじ山を有する貫通穴が設けられる。損傷付与本体６１１ｂは、損傷付与回転軸２３ｂが損傷付与基部６１２ｂを捻じ込みながら挿通して上下に移動することによって、芳香ケース６３ｂ内で上下しながら芳香源に当接する。ここでは、損傷付与部６１ｂは、損傷付与本体６１１ｂが最上部に達すると主モータが逆回転し、損傷付与本体６１１ｂが下方へ移動する、最下部に達すると正回転に戻り、再び上方へ移動する、この動作を繰り返す。この上下移動の作動は、一往復で停止し、所定時間後に再開するなど、所定間隔で行われてもよい。
【００６４】
保持部６２ｂは、芳香源を保持する部分で、例えば、芳香ケース６３ｂの内壁に上下方向に延伸する複数のリブ状に形成される。好ましくは、保持部６２ｂの形状は、損傷付与本体６１１ｂの形状に対応して形成される。また、保持部６２ｂは、バネ性や柔軟性の有る材料で形成される棒状突起でもよい。例えば、バネ性のある金属細線、又はゴム製やプラスチック製の突起部材で保持部６２ｂを形成し、その間に、例えばハーブなどの芳香源を保持してもよい。なお、ここでは、保持部６２ｂが芳香ケース６３ｂの内壁に形成され、芳香源が保持部６２ｂと内壁で保持されることもあることから、このような場合には芳香ケース６３も保持部の一部を構成すると言える。
【００６５】
芳香ケース６３ｂは、上部が開口したケースで、底面には損傷付与回転軸２３を挿通させるための貫通穴が設けられる。また、芳香ケース６３ｂの底面には、第２筐体本体１０５ｂから空気を流入させるための貫通穴が設けられる。芳香ケース６３ｂは、図示のように、送風ファン４と損傷付与部６１ｂとの同軸回転を構成しやすいように、送風ファン４が収容される第２筐体本体１０５ｂの上方に配置される。
【００６６】
ここで、香気放散までの流れを説明すると、芳香源（例えば、ローズマリ）を芳香部６ｂの保持部６２ｂにセットして保持させ、電源部１をオンにすると、電源部１によって、主モータ２に電力が供給され、送風ファン回転軸２２ｂ及び損傷付与回転軸２３ｂが回転する。これによって、送風ファン４が回転し、空気流入口１０３から空気が吸い込まれる。吸い込まれた空気は、送風ファン４によって芳香部６ｂに送り込まれる。
【００６７】
芳香部６ｂ内の芳香源は、損傷付与本体６１１ｂが上下にゆっくりと移動することによって、狭い空間に押さえ込まれて擦られて損傷を受けて（細胞が破壊されて）、芳香を放出する。放出された芳香は、送り込まれた空気と混合して香気に調製され、流入した空気に押し上げられて、香気放散口１０４から放散される。
【００６８】
芳香装置１００ｂは、特に、ローズマリ、バジルやタイム等、茎についている葉や花の香りを楽しむ芳香源や、柑橘類の皮等の芳香源に好適である。
【００６９】
＜実施形態１の変形例３＞
図４は、実施形態１の変形例３に係る芳香装置１００ｃの構成を示す図である。芳香装置１００ｃは、芳香部６ｃが実施形態１に係る芳香部６と異なる。また、ヒータ及び霧散布部を含まない点、実施形態１と異なる。また、ここでは、主モータを含まず、芳香部６ｃ及び送風ファン４はそれぞれ付帯のモータを備え、これによって駆動されるものとする。
【００７０】
芳香部６ｃは、損傷付与部６１ｃと、保持部６２ｃとを含む。損傷付与部６１ｃ及び保持部６２ｃは、概ね第２筐体に収容される。芳香部６ｃは、さらに受け皿を含んで切削片を収容するようにしてもよい。
【００７１】
損傷付与部６１ｃは、損傷付与先端６１１ｃと、損傷付与モータ６１２ｃと、損傷付与回転腕６１３ｃと、損傷付与回転板６１４ｃと、損傷付与補助モータ６１５ｃとを含む。損傷付与先端６１１ｃは、芳香源（例えば、ゆずやレモン、リンゴ）に当接してこれを切削する部分である。損傷付与モータ６１２ｃは、損傷付与先端６１１ｃを回転させるためのもので、その出力軸に損傷付与先端６１１ｃが取り付けられる。損傷付与回転腕６１３ｃは、損傷付与先端６１１ｃの位置を調整するもので、ラッチ構造に構成される。損傷付与回転腕６１３ｃは根本付近にコイルばねで支持され、芳香源を押しつける構造で作動し、常に芳香源をなぞる様に作動することになる。損傷付与回転板６１４は、損傷付与補助モータ６１５ｃと連動して、損傷付与先端６１１ｃの切削位置を調整するものである。損傷付与回転腕６１３ｃは、損傷付与回転板６１４により、上から下に移動して最下部に達すると、方向を替えて下から上に移動し、最上部に達すると、再び下方に移動する等して上下方向に繰り返し移動することができる。なお、下に移動して最下部に達すると、芳香源との接触を回避して、損傷付与先端６１１ｃを最上部に戻すなどして、一方向のみ作動するようにしてもよい。なお、作動方向は必ずしも上下方向でなくてもよいことは言うまでもない。
【００７２】
保持部６２ｃは、第１保持部６２１ｃと、第２保持部６２２ｃとを含む。第１保持部６２１ｃは、例えば、芳香源の下方に配置される部分で、先端が爪状の部分を含む棒状に形成される。また、第１保持部６２１ｃは、付帯のモータを備え、保持された芳香源を回転可能に構成されてもよい。第２保持部６２２ｃは、例えば、芳香源の上方に配置される部分で、先端が爪状の部分を含んで構成される。また、第２保持部６２２ｃは、芳香源の大きさに応じて、例えば第１保持部６２１ｃとの距離を調整可能に構成される。
【００７３】
ここで、香気放散までの流れを説明すると、芳香源（例えば、ゆず等の柑橘類）を芳香部６ｃの保持部６２ｃにセットして保持させ、電源部１をオンにすると、電源部１によって、損傷付与モータ６１２ｃ、損傷付与補助モータ６１５ｃに電力が供給され、損傷付与先端６１１ｃが柑橘類の皮を切削する。また、第１保持部６２１ｃに付帯のモータによって、第１保持部６２１ｃが回転し、芳香源が回転して、切削済みの部分は先に送り出される。
【００７４】
一方、送風ファン４も回転し、空気流入口１０３から空気が吸い込まれる。吸い込まれた空気と芳香（切削過程で放出される芳香、収容される切削片から放出される芳香）が、送風ファン４によって混合されて調製され、香気放散口１０４から放散される。
【００７５】
＜実施形態１の変形例４＞
図５は、実施形態１の変形例４に係る芳香装置１００ｄの芳香部６ｄの構成を示す図である。その他の構成の説明は、ここでは省略する。
【００７６】
芳香部６ｄは、損傷付与部６１ｄと、保持部６２ｄと、芳香台６３ｄとを含む。損傷付与部６１ｄは、損傷付与本体６１１ｄと、損傷付与基台６１２ｄと、損傷付与モータ６１３ｄと、損傷付与支柱６１４ｄとを含む。損傷付与本体６１１ｄは、回転して、損傷付与基台６１２との間で芳香源を押し潰す部分である。損傷付与モータ６１３ｄは、損傷付与本体６１１ｄを駆動するもので、損傷付与支柱６１４ｄに支持される。損傷付与支柱６１４ｄは、損傷付与モータ６１３ｄを支持する部分と、損傷付与本体６１１ｄを損傷付与モータ６１３ｄに連結する部分とを含む。
【００７７】
保持部６２ｄは、芳香源（例えば、山椒、ゴマ、コーヒー豆）を保持する部分で、例えば、図示のように、漏斗状に形成され、芳香源を保持し、そのうちの適量を損傷付与本体６１１ｄと損傷付与基台６１２ｄとの間に送り込むものである。
【００７８】
芳香台６３ｄは、損傷付与部６１ｄを載置するための部分である。損傷付与部６１ｄによって押し潰された芳香源は、芳香台６３ｄに落ちてきて、溜められる。なお、ここでは、押し潰された芳香源を収容するための収容部を含んで構成されてもよい。
【００７９】
ここで、香気放散までの流れを説明すると、芳香源（例えば、山椒、ゴマ、コーヒー豆）を芳香部６ｄの保持部６２ｄにセットして保持させ、電源部１をオンにすると、電源部１によって、損傷付与モータ６１３ｄに電力が供給され、損傷付与本体６１１ｄが回転する。そして、適量の芳香源が供給され、損傷付与本体６１１ｄと損傷付与基台６１２ｄとの間で押し潰されて、芳香台６３ｄに溜められる。そして、図示しない送風ファンによって送り込まれた空気と芳香（押し潰す過程で放出される芳香、押し潰された芳香源から放出される芳香）が混合されて調製され、図示しない香気放散口から放出される。
【００８０】
芳香装置１００ｄは、上記のように構成することによって、芳香源から気軽に香気を楽しむことができる。芳香装置１００ｄは、特に、種子の香りを楽しむ芳香源に好適である。ここでは、芳香源は単一種類でもよいし、数種類を混合したものでもよい。数種類を混合することよって、様々な香気を楽しむことができる。
【００８１】
＜実施形態２＞
図６は、実施形態２に係る芳香装置１００ｅの構成を示す図である。芳香装置１００ｅは、さらに操作部７と制御部８とを含む。
【００８２】
芳香装置１００ｅは、電源部１と、主モータ２と、ヒータ３と、送風ファン４と、霧散布部５と、芳香部６と、操作部７と、制御部８と、を含み、これらは、第１筐体１０１及び第２筐体１０２に配置（収容）される。
【００８３】
操作部７は、使用者が要求を入力するための操作ボタン７１と、入力した要求や経過時間等を使用者に提示するための表示パネル７２と、を含む。
【００８４】
制御部８は、芳香装置１００ｅの作動を制御するための部分で、制御回路を含んで構成される。図７は、芳香装置１００ｅの制御構成を示すブロック図である。なお、図示しないが、各構成部分は電源部１とそれぞれ電気的に接続されている。
【００８５】
制御部８は、主モータ２のオン／オフや回転数を制御することによって、送風ファン４及び芳香部６の作動開始／作動停止、回転速度等を制御する。また、制御部８は、霧散布部５の散布ポンプ５２のモータのオン／オフや回転数を制御することによって、霧散布部５の作動開始／作動停止、回転速度等を制御する。また、制御部８は、ヒータ３の電源回路のオン／オフを制御することによって、ヒータ３の作動開始／作動停止等を制御する。ここでは、制御部８は、タイマーを含み、作動開始時間や継続時間等のカウントが可能である。
【００８６】
使用者が、例えば、操作部７の操作ボタン７１を用いて、作動時間を設定すると、制御部８は、主モータ２の制御を通じて送風ファン４及び芳香部６を設定した時間分だけ作動させ、ヒータ３及び霧散布部５を設定した時間分だけ作動させる。また、ここでは、時間をおいて作動（例えば、一定時間おきに繰り返し作動）するように設定してもよい。
【００８７】
また、使用者が、例えば、操作部７の操作ボタン７１を用いて、作動速度を設定すると、制御部８は、主モータ２の制御を通じて送風ファン４及び芳香部６を設定された速度で作動させ、霧散布部５を設定された速度で作動させる。
【００８８】
また、使用者が、例えば主モータ２のみが作動するように設定してもよく、これによって送風ファン４及び芳香部６が駆動されて、霧を含まない香気が拡散される。
【００８９】
芳香装置１００ｅは、上記のように構成することによって、作動時間や速度、霧の混合の有無等を、使用者が簡便に制御することができる。
【００９０】
さらには、セットした芳香源を表示やＳＷで選択することで、それぞれが作動するタイミングや強度などの作動条件をコントロールしたり、部屋の広さや、時間帯を選択することで、作動条件を変えたりしてもよい。
【００９１】
＜実施形態３＞
図８は、実施形態３に係る芳香装置１００ｆを示す模式図である。
【００９２】
芳香装置１００ｆは、電源部１と、主モータ２ｆと、送風部４ｆと、霧散布部５ｆと、芳香部６ｆと、操作部７ｆと、制御部８ｆと、センサ部９ｆと、を含む。芳香部６ｆは、下記のように、それ以外の部分から構成される芳香装置１００ｆ本体に着脱可能に配置される。
【００９３】
主モータ２ｆは、芳香部６ｆを駆動するためのモータである。主モータ２ｆの出力軸には損傷付与回転軸２３ｆが取り付けられ、これに芳香部６ｆが挿着される。
【００９４】
送風部４ｆは、送風ファン及びヒータを含んで構成される。送風ファンは付帯のモータを含む点以外は、実施形態１と同様で、ヒータは実施形態１と同様である。送風部４ｆは、送風ファンのみを作動させて常温の風を送風したり、送風ファン及びヒータの両方を作動させて温風を送風したりできるように構成される。
【００９５】
霧散布部５ｆは、実施形態１と構成が同様である。霧散布部５ｆは、図示のように、第２筐体１０２の外部に配置されてもよい。
【００９６】
芳香部６ｆは、損傷付与部、保持部及びこれらを収容する芳香ケースを含む。損傷付与部及び保持部は、上記実施形態１及びその変形例に係るいずれの損傷付与部及び保持部として構成することができる。ここでは、芳香部６ｆは、芳香装置１００ｆ本体に着脱可能に構成される。
【００９７】
操作部７ｆは、操作ボタン７１ｆと、表示パネル７２ｆとを含む。操作ボタン７１ｆは、ボタンスイッチや表示パネル７２ｆと一体に設けられるタッチセンサ等で構成される。
【００９８】
制御部８ｆは、芳香装置１００ｆの作動を制御するものである。図９は、芳香装置１００ｆの制御構成を示すブロック図である。
【００９９】
制御部８ｆは、主モータ２、送風部４ｆ付帯のモータ、霧散布部５ｆ付帯のモータの作動開始／作動停止や回転速度を制御し、送風部４ｆの電源回路を制御して、これらの作動を制御することができる。
【０１００】
センサ部９ｆは、効果的に香気を放散させるための各種センサを含む部分である。一例として、センサ部９ｆは、人感センサ９１ｆ、温度センサ９２ｆ、湿度センサ９３ｆ及び匂いセンサ９４ｆを含む。人感センサ９１ｆは、赤外線や超音波、可視光等を用いて人間の所在を検出するセンサである。温度センサ９２ｆ、湿度センサ９３ｆ及び匂いセンサ９４ｆは、それぞれ設置環境における温度、湿度、匂いを検出するセンサである。これらのセンサは、例えば、第１筐体１０１に取り付けられる。
【０１０１】
より具体的には、人感センサ９１ｆによって、エリア内の人間存在の有無が検出され、検出結果が制御部８ｆに入力される。制御部８ｆは、この検出結果に応じて、例えば、主モータ２の作動の開始／停止を制御する。例えば、主モータ２の停止状態で、人間の存在が検出された場合は、主モータ２の作動を開始させる。また、主モータ２の作動状態で、人間の存在が検出されなかった場合は、主モータ２の作動を停止させる。
【０１０２】
温度センサ９２ｆによって、エリア内の環境温度が検出され、検出結果が制御部８ｆに入力される。制御部８ｆは、検出結果に応じて、例えば、送風部４ｆからの送風を制御する。例えば、所定温度以上の環境温度が検出された場合は、送風部４ｆから常温の風を送風させ、所定温度以上の環境温度が検出されなかった場合は、送風部４ｆから温風を送風させる。
【０１０３】
湿度センサ９３ｆによって、エリア内の環境湿度が検出され、検出結果が制御部８ｆに入力される。制御部８ｆは、検出結果に応じて、例えば、霧散布部５ｆを制御する。例えば、主モータ２が作動している状態で、霧散布部５ｆの作動状態で、所定湿度以上の環境湿度が検出された場合は、霧散布部５ｆの作動を停止させる。一方、所定湿度以上の環境湿度が検出されなかった場合は、霧散布部５ｆの作動を継続させる。
【０１０４】
匂いセンサ９４ｆによって、エリア内の匂い濃度が検出され、検出結果が制御部８ｆに入力される。制御部８ｆは、この検出結果に応じて、例えば、主モータ２の作動の開始／停止を制御する。例えば、主モータ２の作動状態で、所定濃度以上の匂いが検出された場合は、主モータ２の作動を停止させる。一方、所定濃度以上の匂いが検出されなかった場合は、主モータ２の作動を継続させる。
【０１０５】
芳香装置１００ｆは、以上のように構成することによって、さらに、使用者の所在環境に合わせて、香気を放散させることができる。
【０１０６】
また、セットした芳香源を表示やＳＷで選択することで、それぞれが作動するタイミングや強度などの作動条件をコントロールしたり、部屋の広さや、時間帯を選択することで、作動条件をコントロールしたりしてもよい。
【０１０７】
また、図示しないが、損傷付与部に超音波振動などによる振動で芳香源破壊をしても良く、例えば振動板の上、ハーブを敷き、その上に金属の板を載せて振動させ芳香源を破壊にする事や、上記で示した各損傷付与部に超音波振動等の振動を併用し加えることで破壊効果を増進させたりしても良い。
【０１０８】
＜実施形態３の変形例１＞
図１０は、実施形態３の変形例１に係る芳香装置１００ｇの制御部８ｇによる制御構成を示すブロック図である。
【０１０９】
制御部８ｇは、作動制御部８１ｇと、処理部８２ｇと、記憶部８３ｇと、を含む。
【０１１０】
作動制御部８１ｇは、処理部８２ｇの指示に応じて、主モータ２ｆ、送風部４ｆ付帯のモータ、霧散布部５ｆ付帯のモータの作動開始／作動停止や回転速度を制御し、送風部４ｆの電源回路を制御して、これらの作動を制御する部分である。
【０１１１】
処理部８２ｇは、所定の処理を行う部分で、操作部７ｆ及びセンサ部９ｆからの入力に基づいて、所定の処理を行い、作動制御部８１ｇに所定の指示を行う部分である。処理部８２ｇは、例えば、マイクロプロセッサで構成される。
【０１１２】
記憶部８３ｇは、所定の情報を格納する部分で、例えばＲＡＭ等で構成される。記憶部８３ｇには、例えば、芳香源データベース８３１ｇが格納される。
【０１１３】
芳香源、特に天然芳香源は、その種類によって芳香を放出する部分や芳香の強さが大きく異なる。そのため、芳香源に適した芳香部６ｇを用いる必要がある。例えば、茎についている葉や花から芳香が放出される場合は、上記実施形態１や実施形態１の変形例２に記載の芳香部（葉花型）を用い、柑橘類の場合は、果汁から芳香を放出させるときは、実施形態１の変形例１に記載芳香部（果汁型）を用い、皮から芳香を放出させるときは実施形態１の変形例３に記載の芳香部（果皮型）を用い、種から芳香を放出させるときは実施形態１の変形例４（種子型）が適している。また、同じ芳香源であっても、品種や採取時期によって、香気調製に適した芳香部の作動速度や環境温度、環境湿度が異なる。芳香源データベース８３１ｇは、芳香源に対応して、芳香放出部位、芳香部類型、品種、採取時期、標準芳香部作動速度、標準調製環境温度、標準調製環境湿度、標準調製濃度等の情報を格納するものである。
【０１１４】
使用者は、まず、芳香源及び芳香放出部位に応じて、所定の芳香部類型の芳香部６ｆを芳香装置１００ｇに取り付け、操作部７ｆから芳香源（例えば芳香源ＩＤ）を入力する。そうすると、センサ部９ｆによって、環境温度、環境湿度、環境匂い濃度が検出され、検出結果が処理部８２ｇに入力される。処理部８２ｇは、入力された芳香源に基づき、芳香源データベース８３１ｇを参照して、芳香部作動速度を標準芳香部作動速度に決定し、作動制御部８１ｇに指示する。
【０１１５】
また、処理部８２ｇは、入力された芳香源に基づき、芳香源データベース８３１ｇを参照し、入力された現在環境温度と標準調製環境温度を比較し、現在環境温度が標準調製環境温度より低い場合は、送風部４ｆのヒータを作動させるように、作動制御部８１ｇに指示する。また、現在環境温度が標準調製環境温度以上になった場合は、送風部４ｆのヒータの作動を停止させるように、作動制御部８１ｇに指示する。
【０１１６】
また、処理部８２ｇは、入力された芳香源に基づき、芳香源データベース８３１ｇを参照し、入力された現在環境湿度と標準調製環境湿度を比較し、現在環境湿度が標準調製環境湿度より低い場合は、霧散布部５ｆを作動させるように、作動制御部８１ｇに指示する。また、現在環境湿度が標準調製環境湿度以上になった場合は、霧散布部５ｆの作動を停止させるように、作動制御部８１ｇに指示する。
【０１１７】
また、処理部８２ｇは、入力された芳香源に基づき、芳香源データベース８３１ｇを参照し、入力された現在環境匂い濃度から芳香部６ｆ作動開始時の環境匂い濃度を引いた増加濃度と標準調製濃度を比較し、増加濃度が標準調製濃度以上になった場合は、芳香部６ｆの作動を停止させるように、作動制御部８１ｇに指示する。
【０１１８】
芳香装置１００ｇは、処理部８２ｇ及び芳香源データベース８３１ｇを備えることによって、芳香源種類に応じて芳香の調製を行い、安定した香気を提供することができる。
【０１１９】
また、好む香気の濃度は、使用者によって異なる。芳香装置１００ｇは、芳香源データベース８３１ｇを、使用者が好みに応じて、操作部７ｆから編集できるように構成されてもよい。
【０１２０】
また、芳香装置１００ｇは、芳香部６ｆが蓋体を含み、処理部８２ｇの指示に応じて、作動制御部８１ｇが芳香部６ｆの蓋体の開閉を制御できるように構成されてもよい。
【０１２１】
また、常時香気を放散させると、慣れてしまい、香りを感じなくなるので、所定時間作動後所定時間停止させ、再び所定時間作動させる等、間欠的に作動させてもよい。このように、強弱をもたらせることで、風の方向で香りが変わるように自然界の香りに近付けることができる。
【０１２２】
また、上記実施形態の芳香装置は、特徴的な動きがあるので、見た目が面白い。従来の芳香器具は、見た目が面白味に欠ける。本願発明では、葉をしごく動作、削る動作、剥く動作、絞る動作等の動きにより、見た目に面白味があり、視覚に訴えることができ、動きにより芳香が生み出されているという感覚を助長し、より快適感を生み出すことができる。そのため、芳香源の部分が外部から視認可能なように、筐体の一部を透過性にしてもよい。また、芳香源が見える位置に窓を設けてもよい。
【０１２３】
また、モータを駆動するので駆動音が外部から聞こえるようにすることができる。また、芳香部が芳香を放出する際の音を外部へ放出するようにできる。すなわち、芳香源を、物理的に損傷させるので、損傷する音（芳香源が擦れる音、焼かれる音）を外部から聞こえるようにすることができる。芳香源の音（ハーブの葉が擦れる音や、かんきつ類を搾る音や、焼かれる音）を、芳香とともに、聞こえるようにすることで、音による面白さや気持ちの高揚を作り出し、芳香から感じる気持ちの向上を助長させ、より快適感を生み出すことができる。
【０１２４】
なお、これらの音を、増幅して外部に流せるように、音を採取するマイクロフォンと、採取した音声信号を増幅する増幅装置と、増幅した音声信号を出力するスピーカーを備えてもよい。そうすれば、芳香源から生み出される小さな音を十分に大きくして、芳香とともに外部に出力することができる。また、これらの音を予め記憶しておき、それを再生することで音声出力するようにしてもよい。
【０１２５】
＜実施形態４＞
図１１は、実施形態４に係る芳香装置１００ｈの構成を示す図である。芳香装置１００ｈは、例えば、菓子類や調理品等の食品を芳香源とするもので、病気や怪我等による食事制限の場合等でも、食品の香りを気軽に楽しむことができる芳香装置を提供するものである。また、飲食店等では調理品サンプルを店頭で陳列しているが、芳香装置１００ｈを用いてその香りも合わせて提供することで、集客効果の向上を図ることができる。芳香装置１００ｈは、芳香部６ｈが上記芳香装置と異なる。
【０１２６】
芳香部６ｈは、損傷付与部６１ｈと、保持部６２ｈとを含む。また、芳香部６ｈは、さらに電熱部６４ｈと、収容具６５ｈと、を含んでもよい。損傷付与部６１ｈ及び保持部６２ｈは第２筐体１０２に配置される。
【０１２７】
損傷付与部６１ｈは、損傷付与本体６１１ｈと、損傷付与基部６１２ｈとを含む。損傷付与本体６１１ｈは、損傷付与基部６１２ｈよりも保持部６２ｈ側に突出する形状である。損傷付与本体６１１は、芳香源Ｆとの接触部分が芳香源Ｆに合わせて様々な形状とすることができる。ここでは、例えば、図示のように、芳香源Ｆとの接触部分に複数の歯部（突起）を有する形状に形成されてもよい。
【０１２８】
損傷付与基部６１２ｈは、損傷付与本体６１１ｈを支持する部分で損傷付与回転軸２３に接続される。また、損傷付与基部６１２ｈ内には損傷付与回転軸２３の回転を直線移動に変更する機構（図示せず）が配置される。
【０１２９】
保持部６２ｈは、保持本体６２１ｈと、これを第２筺体１０２に固定する保持固定部６２２ｈとを含む。保持本体６２１ｈは、保持固定部６２２ｈ側に凹んで形成される凹部を含み、この凹部に芳香源Ｆが保持される。保持本体６２１ｈには、例えば、金属や石等の素材が用いられる。
【０１３０】
保持固定部６２２ｈは、第２筐体１０２に取り付けられる。保持固定部６２２ｈは中実に構成されてもよいし、図示のように中空に構成されてもよい。
【０１３１】
電熱部６４ｈは、保持固定部６２２ｈ内に配置される。この場合、保持固定部６２２ｈは、中空に構成される。電熱部６４ｈは、電源部１に電気的に接続される。電熱部６４ｈによって、保持部６２ｈに保持される芳香源Ｆが加熱される。
【０１３２】
収容具６５ｈは、芳香源Ｆを直接収容する部材である。芳香源Ｆが、形が崩れやすいものや複数の粒状部分の集まりである場合、収容具６５ｈを設けることで芳香源Ｆを保持しやすくなる。また、収容具６５ｈは、外して洗浄できるので、衛生管理もしやすくなる。
【０１３３】
ここで、香気放散までの流れを説明すると、芳香源Ｆ（例えば、焼きするめや焼き肉、ステーキ、ハンバーグ、うなぎ、かば焼、焼き鳥、唐揚げ等の魚介類や肉類の調理品、焼き芋等の薯類）を収容具６５ｈに入れて保持本体６２１ｈにセットし、電源部１をオンにすると、電源部１によって、電熱部６４ｈに電力が供給される。これによって、収容具６５ｈ内の芳香源Ｆが加熱され、芳香を放出しやすくなる。また、電源部１によって、主モータ２に電力が供給され、送風ファン回転軸２２及び損傷付与回転軸２３が回転する。そして、損傷付与回転軸２３の回転運動が直線運動に変えて出力され、損傷付与本体６１１ｈが芳香源Ｆに当接しこれを押して損傷を与えて芳香を放出させる。
【０１３４】
一方、送風ファン４も回転し、空気流入口１０３から空気が吸い込まれる。吸い込まれた空気と芳香は、送風ファン４によって混合されて調製され、香気放散口１０４から放散される。
【０１３５】
言い換えれば、芳香部６ｈは、芳香製造部であり、芳香源から芳香を放出させ、これを空気と混合して、香気を製造するものである。
【０１３６】
常時香気を放散させると、慣れてしまい、香りを感じなくなるので、芳香装置１００ｈは、損傷付与部を所定時間作動後所定時間停止させ、再び所定時間作動させる等、間欠的に作動させてもよい。このように、強弱をもたらせることで、風の方向で香りが変わるように自然界の香りに近付けることができる。
【０１３７】
＜実施形態４の変形例１＞
図１２は、実施形態４の変形例１に係る芳香装置１００ｉの構成を示す図である。
【０１３８】
芳香装置１００ｉの芳香部６ｉは、損傷付与部６１と、保持部６２ｉと、電熱部６４ｈとを含む。ここでは、電熱部６４ｈは、直接第２筐体１０２に取り付けられる。
【０１３９】
保持部６２ｉは、複数の細かい穴（図示せず）が設けられた中空の略球状体である。保持部６２ｉは、着脱口６２３ｉを含む。保持部６２ｉは、着脱口６２３ｉを介して損傷付与部６１に着脱可能に取り付けられる。一例として、着脱口６２３ｉに雌ネジが設けられ、損傷付与部６１に雄ネジが設けられ、両者が螺合することで、保持部６２ｉが損傷付与部６１に取り付けられる。着脱口６２３ｉは、芳香源Ｆを保持部６２ｉに出し入れする進出口でもある。保持部６２ｉには、例えば、金属等の素材が用いられる。
【０１４０】
ここで、香気放散までの流れを説明すると、着脱口６２３ｉから保持部６２ｉに芳香源Ｆ（例えば、ナッツ類や米菓等の菓子類）を投入し、保持部６２ｉを損傷付与部６１に取り付けてから、電源部１をオンにすると、電源部１によって、電熱部６４ｈに電力が供給される。これによって、保持部６２ｉ内の芳香源Ｆが加熱され、芳香を放出しやくなる。また、電源部１によって、主モータ２に電力が供給され、送風ファン回転軸２２及び損傷付与回転軸２３が回転する。これによって、損傷付与部６１が回転し、これに取り付けられた保持部６２ｉも回転して、保持部６２ｉ内の芳香源Ｆが互いに衝突して擦られて損傷を受け、芳香が放出される。
【０１４１】
一方、送風ファン４も回転し、空気流入口１０３から空気が吸い込まれる。吸い込まれた空気と芳香は、送風ファン４によって混合されて調製され、香気放散口１０４から放散される。
【０１４２】
＜実施形態４の変形例２＞
図１３は、実施形態４の変形例２に係る芳香装置１００ｊの構成を示す図である。
【０１４３】
芳香装置１００ｊの芳香部６ｊは、損傷付与部６１ｈと、保持部６２ｊと、電熱部６４ｈと、収容具６５ｈと、蒸気部６６ｊとを含む。
【０１４４】
保持部６２ｊは、保持本体６２１ｊと、保持固定部６２２ｊとを含む。保持本体６２１ｊは、保持固定部６２２ｊ側に凹んで形成される凹部を含み、この凹部に芳香源Ｆが保持される。保持本体６２１ｊには、例えば、金属や石等の素材が用いられる。また、保持本体６２１ｊは、保持固定部６２２ｊとの当接面に蒸気を通すための複数の貫通穴が設けられる。
【０１４５】
保持固定部６２２ｊは、第２筐体１０２に取り付けられる。保持固定部６２２ｊは中空に構成され、電熱部６４ｈ及び蒸気部６６ｊが保持固定部６２２ｊ内に配置される。保持固定部６２２ｊは、保持本体６２１ｊの貫通穴に対応した位置に貫通穴が設けられる。
【０１４６】
蒸気部６６ｊは液体を収容する開口を有する容器であり、例えば金属等の素材が用いられる。蒸気部６６ｊは電熱部６４ｈの上方に設けられ、電熱部６４ｈによって加熱されると、収容された液体の一部が蒸気となり、保持固定部６２２ｊ及び保持本体６２１ｊの貫通穴を通って保持本体６２１ｊに流れ込む。なお、電熱部６４ｈの代わりに、蒸気部６６ｊ自体に電熱部を備える構成としてもよい。
【０１４７】
ここで、香気放散までの流れを説明すると、芳香源Ｆ（例えば、肉まん等の調理品）を芳香部６ｊの収容具６５ｈに入れて保持本体６２１ｊにセットし、電源部１をオンにすると、電源部１によって、電熱部６４ｈに電力が供給される。これによって、蒸気部６６ｊ内の液体が加熱されて蒸気が保持本体６２１ｊ内に流れ込み、収容具６５ｈ内の芳香源Ｆが蒸されて、芳香を放出しやすくなる。また、電源部１によって、主モータ２に電力が供給され、送風ファン回転軸２２及び損傷付与回転軸２３が回転する。そして、損傷付与回転軸２３の回転運動が直線運動に変えて出力され、損傷付与本体６１１ｈが芳香源Ｆに当接しこれを押して損傷を与えて芳香を放出させる。
【０１４８】
一方、送風ファン４も回転し、空気流入口１０３から空気が吸い込まれる。吸い込まれた空気と芳香は、送風ファン４によって混合されて調製され、香気放散口１０４から放散される。
【０１４９】
以上、本発明に係る芳香装置の実施形態について説明したが、これらは本発明の実施形態の一例に過ぎず、本発明はこれらに限定されるものではない。本発明には、以上の各実施形態を組み合わせた形態や、様々な変形例が含まれる。
【０１５０】
本実施形態に用いられる芳香源は、あんまんや肉まん、カレーまん、ピザまん、温泉まんじゅう等の蒸しまんじゅう（蒸し料理）、おやき、たい焼、どら焼、人形焼、もみじまんじゅう等の焼菓子等、きゅうり、にんじん、大根、ジャガイモ、ホウレンソウなどの野菜、メロン、スイカ、イチゴ等の果実など、幅広く適用することができる。
【０１５１】
また、芳香源は、ワイン、ビール、清酒、ウイスキー、ブランデー等の酒類でも良い。これらの液体を芳香源とする場合は、容器に入れたものをかき混ぜる、空気を送り込む、２つの容器の間で移し替えるなどを行う駆動装置により、定期的に（または、時間を空けて繰り返し）芳香源に損傷（刺激）を与え、香りを放出させる。香りを放出させる方法としては、超音波や高周波振動撹拌を使用し、気化を促しても良く、例えば、1分間に約９０００回という高周波振動撹拌に加え、振動撹拌下での電気分解で発生したナノ・マイクロバブルを発生させても良い。
【０１５２】
上記実施形態は、天然の芳香源に限らず、人工的な芳香源に対しても、適用することができる。特に、人工的に作り出した芳香源であっても、香りが弱い場合に、定期的に（または、時間を空けて繰り返し）、混ぜる、擦る、叩くなどの損傷（衝撃）を与えることで、適度な香りを発生させることができる。
【符号の説明】
【０１５３】
１００          芳香装置
１              電源部
２              主モータ
３              ヒータ
４              送風ファン
５              霧散布部
６              芳香部
６１            損傷付与部
６２            保持部
７              操作部
８              制御部
９              センサ部
【図１】
2018153372.tif 000003
【図２】
2018153372.tif 000004
【図３】
2018153372.tif 000005
【図４】
2018153372.tif 000006
【図５】
2018153372.tif 000007
【図６】
2018153372.tif 000008
【図７】
2018153372.tif 000009
【図８】
2018153372.tif 000010
【図９】
2018153372.tif 000011
【図１０】
2018153372.tif 000012
【図１１】
2018153372.tif 000013
【図１２】
2018153372.tif 000014
【図１３】
2018153372.tif 000015
【手続補正書】
【提出日】平成29年7月10日(2017.7.10)
【手続補正１】
【補正対象書類名】特許請求の範囲
【補正対象項目名】全文
【補正方法】変更
【補正の内容】
【特許請求の範囲】
【請求項１】
香気を放散する芳香装置であって、
芳香源から香気を調製する芳香部と、
前記芳香部を駆動する駆動部と、を含み、
前記芳香部は、前記芳香源に損傷を与えて芳香を放出させる作動を行う損傷付与部を含み、
前記損傷付与部は、同一の前記芳香源に対して時間をあけて繰り返し前記作動を行い、
前記作動は、所定作動時間作動した後、所定停止時間停止して間欠的に行われ、
前記所定作動時間は、徐々に増加する
ことを特徴とする芳香装置。
【請求項２】
請求項１に記載の芳香装置であって、
前記所定停止時間は、徐々に減少する
ことを特徴とする芳香装置。
【請求項３】
香気を放散する芳香装置であって、
芳香源から香気を調製する芳香部と、
前記芳香部を駆動する駆動部と、を含み、
前記芳香部は、前記芳香源に損傷を与えて芳香を放出させる作動を行う損傷付与部を含み、
前記損傷付与部は、同一の前記芳香源に対して時間をあけて繰り返し前記作動を行い、
前記芳香源は、種子であり、
前記損傷付与部は、前記芳香源を潰して損傷を与えることによって芳香を放出させる
ことを特徴とする芳香装置。
【請求項４】
香気を放散する芳香装置であって、
芳香源から香気を調製する芳香部と、
前記芳香部を駆動する駆動部と、を含み、
前記芳香部は、前記芳香源に損傷を与えて芳香を放出させる作動を行う損傷付与部を含み、
前記損傷付与部は、同一の前記芳香源に対して時間をあけて繰り返し前記作動を行い、
前記芳香源は、調理品であり、
前記損傷付与部は、前記芳香源を押して損傷を与えることによって芳香を放出させる
ことを特徴とする芳香装置。
【請求項５】
請求項４に記載の芳香装置であって、
前記芳香部は、前記芳香源を蒸すための蒸気部を含む
ことを特徴とする芳香装置。
【請求項６】
香気を放散する芳香装置であって、
芳香源から香気を調製する芳香部と、
前記芳香部を駆動する駆動部と、を含み、
前記芳香部は、前記芳香源に損傷を与えて芳香を放出させる作動を行う損傷付与部を含み、
前記損傷付与部は、同一の前記芳香源に対して時間をあけて繰り返し前記作動を行い、
前記芳香源は、菓子であり、
前記損傷付与部は、前記芳香源同士を衝突させて損傷を与えることによって芳香を放出させる
ことを特徴とする芳香装置。
【請求項７】
請求項４又は６に記載の芳香装置であって、
前記芳香部は、前記芳香源を加熱するための電熱部を含む
ことを特徴とする芳香装置。
【請求項８】
香気を放散する芳香装置であって、
芳香源から香気を調製する芳香部と、
前記芳香部を駆動する駆動部と、を含み、
前記芳香源は、液体であり、
前記芳香部は、前記液体に撹拌又は振動を加えて空気を絡ませることにより芳香を放出させる作動を行う損傷付与部を含み、
前記損傷付与部は、同一の前記芳香源に対して時間をあけて繰り返し前記作動を行う
ことを特徴とする芳香装置。
【請求項９】
請求項３〜８のいずれか一項に記載の芳香装置であって、
前記作動は、所定作動時間作動した後、所定停止時間停止して間欠的に行われ、
前記所定作動時間は、徐々に増加し、
前記所定停止時間は、徐々に減少する
ことを特徴とする芳香装置。
【請求項１０】
請求項１〜９のいずれか一項に記載の芳香装置であって、
前記芳香装置は、異なる芳香源を格納する複数の前記芳香部を含み、
複数の前記芳香部の間で、前記作動が切り替えられる
ことを特徴とする芳香装置。
【請求項１１】
請求項１〜１０のいずれか一項に記載の芳香装置であって、
空気の流れを促進する送風部を含む
ことを特徴とする芳香装置。
【請求項１２】
請求項１〜１１のいずれか一項に記載の芳香装置であって、
空気を暖めるヒータを含む
ことを特徴とする芳香装置。
【請求項１３】
請求項１〜１２のいずれか一項に記載の芳香装置であって、
霧を散布する霧散布部を含む
ことを特徴とする芳香装置。
【請求項１４】
請求項１〜１３のいずれか一項に記載の芳香装置であって、
前記芳香部が外部から視認可能である
ことを特徴とする芳香装置。
【請求項１５】
請求項１〜１４のいずれか一項に記載の芳香装置であって、
音を採取して音響信号に変換するマイクロフォンと、
前記音響信号を増幅する増幅装置と、
増幅された前記音響信号を音に変換して出力するスピーカーを備え、
前記芳香部が芳香を放出する際の音を増幅して外部へ放出する
ことを特徴とする芳香装置。
【請求項１６】
請求項１〜１５のいずれか一項に記載の芳香装置であって、
前記芳香部の作動を制御する作動制御部を含む
ことを特徴とする芳香装置。
【請求項１７】
請求項１６に記載の芳香装置であって、
人感センサ、温度センサ、湿度センサ、匂いセンサのうちの少なくとも一つを含むセンサ部と、
前記センサ部の検出結果に応じて前記作動制御部に所定の指示を行う処理部と、を含む
ことを特徴とする芳香装置。